(57)【要約】【課題】  送風方向を正方向及び逆方向に変更自在な送風機構において、騒音及び振動の増大を抑えながら、風量増大を図る。【解決手段】  一定の回転方向Ａ１に回転駆動される回転体２１に対する送風羽根３６の角度を中立位置から正方向に変更すると、送風羽根３６により正方向に風が発生し、送風羽根３６の角度を中立位置から逆方向に変更すると、送風羽根３６により逆方向に風が発生するように構成する。送風羽根３６の基部側部分における回転方向上手側の縁部３６ａを、回転体２１から離れるほど支持軸芯Ｐ１側から回転方向上手側に位置するように構成する。送風羽根３６の端部側部分における回転方向上手側及び下手側の縁部３７ｃ，３７ｄが、回転体２１から離れるほど回転方向下手側に位置するように、送風羽根３６の端部側部分に回転方向に対する後退角Ｂ１，Ｂ２を持たせる。【選択図】        図６
2008045442.tif 000002
【特許請求の範囲】
【請求項１】
一定の回転方向に回転駆動される回転体と、前記回転体の外周部に支持された複数の送風羽根と、前記回転体の半径方向に沿った支持軸芯周りに回転体に対する送風羽根の角度を変更する角度変更手段とを備えて、
前記回転体に対する送風羽根の角度を中立位置から正方向に変更すると、送風羽根により正方向に風が発生し、前記回転体に対する送風羽根の角度を中立位置から逆方向に変更すると、送風羽根により逆方向に風が発生するように構成すると共に、
前記送風羽根の基部側部分における回転方向上手側の縁部を、前記回転体から離れるほど支持軸芯側から回転方向上手側に位置するように構成し、
前記送風羽根の端部側部分における回転方向上手側及び下手側の縁部が、前記回転体から離れるほど回転方向下手側に位置するように、前記送風羽根の端部側部分に回転方向に対する後退角を持たせてある送風機構。
【請求項２】
前記送風羽根の基部側部分における回転方向下手側の縁部を、前記回転体から離れるほど支持軸芯側から回転方向下手側に位置するように構成してある請求項１に記載の送風機構。
【発明の詳細な説明】
【技術分野】
【０００１】
本発明は、送風方向を正方向及び逆方向に変更自在な送風機構に関する。
【背景技術】
【０００２】
例えば特許文献１に開示されているように、コンバインのラジエータの冷却ファンとして、送風方向を正方向及び逆方向に変更自在な送風機構が使用されることがある。この場合、通常は送風機構の送風方向を正方向に設定しておいて、ラジエータに風を供給するのであり、設定時間の経過毎に送風機構の送風方向を逆方向に設定して、ラジエータに付着したゴミ等を吹き飛ばす。
【０００３】
特許文献１では、一定の回転方向に回転駆動される回転体（特許文献１の図５，６，８の４１）の外周部に、複数の送風羽根（特許文献１の図５，６，８の４２）を支持し、回転体の半径方向に沿った支持軸芯（特許文献１の図５，６，８のＰ２）周りに、送風羽根の角度を変更自在に構成している。これにより、特許文献１の図７（イ）（ロ）に示すように、回転体に対する送風羽根の角度を中立位置から正方向及び逆方向に変更することによって、送風方向を正方向及び逆方向に変更することができる。
特許文献１では、送風羽根（特許文献１の図４，８，９の４２）が、直線的な羽根に構成されている（送風羽根の回転方向上手側及び下手側の縁部が、回転体の半径方向に沿って直線状になっている）。
【０００４】
【特許文献１】特開２００６−３７７４９号公報（図４，５，６，８，９）
【発明の開示】
【発明が解決しようとする課題】
【０００５】
前述のような送風方向を正方向及び逆方向に変更自在な送風機構において、風量増大の必要が生じてきている。この場合、特許文献１の送風羽根の長さを長くしたり、送風羽根の幅を大きくしたりして、送風羽根の面積を大きくすることが考えられるが、これに伴って騒音及び振動が増大するので、改善の余地がある。
本発明は送風方向を正方向及び逆方向に変更自在な送風機構において、騒音及び振動の増大を抑えながら、風量増大を図ることを目的としている。
【課題を解決するための手段】
【０００６】
［Ｉ］
（構成）
本発明の第１特徴は、送風機構において次のように構成することにある。
一定の回転方向に回転駆動される回転体と、回転体の外周部に支持された複数の送風羽根と、回転体の半径方向に沿った支持軸芯周りに回転体に対する送風羽根の角度を変更する角度変更手段とを備えて、回転体に対する送風羽根の角度を中立位置から正方向に変更すると、送風羽根により正方向に風が発生し、回転体に対する送風羽根の角度を中立位置から逆方向に変更すると、送風羽根により逆方向に風が発生するように構成する。送風羽根の基部側部分における回転方向上手側の縁部を、回転体から離れるほど支持軸芯側から回転方向上手側に位置するように構成する。送風羽根の端部側部分における回転方向上手側及び下手側の縁部が、回転体から離れるほど回転方向下手側に位置するように、送風羽根の端部側部分に回転方向に対する後退角を持たせる。
【０００７】
（作用）
送風羽根の長さを長くしたり、送風羽根の幅を大きくしたりして、送風羽根の面積を大きくして風量増大を図った場合、これに伴って騒音及び振動が増大することが考えられるのであるが、本発明の第１特徴によると、送風羽根の端部側部分における回転方向上手側及び下手側の縁部が、回転体から離れるほど回転方向下手側に位置するように、送風羽根の端部側部分に回転方向に対する後退角を持たせている。これにより、送風羽根に発生する圧力を後退角によって分散・平均化することができて、騒音及び振動の増大が抑えられる。
【０００８】
本発明の第１特徴では、回転体に対する送風羽根の角度を中立位置から正方向に変更すると、送風羽根により正方向に風が発生し、回転体に対する送風羽根の角度を中立位置から逆方向に変更すると、送風羽根により逆方向に風が発生するように構成している。この構成において、送風羽根の後退角を大きく設定すると、送風羽根の端部側部分が隣の送風羽根の領域に入ってしまい、回転体に対する送風羽根の角度を変更しようとしても、隣接する送風羽根が干渉してしまうことがある。
本発明の第１特徴によると、送風羽根の基部側部分から後退角を持たせるのではなく（送風羽根の全てに後退角を持たせるのではなく）、送風羽根の端部側部分に後退角を持たせている。この場合、送風羽根の端部側部分だけではあまり長いものにならないので、送風羽根の端部側部分の後退角を大きなものに設定しても、送風羽根の端部側部分が隣の送風羽根の領域に入るようなことがなく、隣接する送風羽根が干渉してしまうようなことがない。
【０００９】
本発明の第１特徴では、回転体に対する送風羽根の角度を中立位置から正方向に変更すると、送風羽根により正方向に風が発生し、回転体に対する送風羽根の角度を中立位置から逆方向に変更すると、送風羽根により逆方向に風が発生するように構成している。この構成において、特に送風羽根の幅を大きくしたりして、送風羽根の面積を大きくして風量増大を図った場合、送風羽根の基部側部分が隣の送風羽根の領域に入ってしまい、回転体に対する送風羽根の角度を変更しようとしても、隣接する送風羽根が干渉してしまうことがある。
本発明の第１特徴によると、送風羽根の基部側部分における回転方向上手側の縁部を、回転体から離れるほど支持軸芯側から回転方向上手側に位置するように構成しており、送風羽根の基部側部分における回転方向上手側の縁部が、隣の送風羽根の領域に入るようなことがなく、隣接する送風羽根が干渉してしまうようなことがない。隣の送風羽根の基部側部分における回転方向下手側の縁部が、この送風羽根の領域に入ってしまっても、隣接する送風羽根が干渉してしまうようなことがない。
【００１０】
（発明の効果）
本発明の第１特徴によると、送風方向を正方向及び逆方向に変更自在な送風機構において、送風羽根の面積を大きくして風量増大を図っても、これに伴う騒音及び振動の増大を抑えることができるようになって、風量の確保及び静粛性の向上を図ることができた。
本発明の第１特徴によると、送風羽根の端部側部分に後退角を持たせても、特に送風羽根の幅を大きくしたりして送風羽根の面積を大きくしても、隣接する送風羽根が干渉せずに、回転体に対する送風羽根の角度を支障なく変更することができるようになって、送風方向を正方向及び逆方向に変更自在な機能が確保されている。
【００１１】
［ＩＩ］
（構成）
本発明の第２特徴は、本発明の第１特徴の送風機構において次のように構成することにある。
送風羽根の基部側部分における回転方向下手側の縁部を、回転体から離れるほど支持軸芯側から回転方向下手側に位置するように構成する。
【００１２】
（作用）
本発明の第２特徴によると、本発明の第１特徴と同様に前項［Ｉ］に記載の「作用」を備えており、これに加えて以下のような「作用」を備えている。
前項［Ｉ］に記載のように、回転体に対する送風羽根の角度を中立位置から正方向に変更すると、送風羽根により正方向に風が発生し、回転体に対する送風羽根の角度を中立位置から逆方向に変更すると、送風羽根により逆方向に風が発生するように構成している。この構成において、特に送風羽根の幅を大きくしたりして、送風羽根の面積を大きくして風量増大を図った場合、送風羽根の基部側部分が隣の送風羽根の領域に入ってしまい、回転体に対する送風羽根の角度を変更しようとしても、隣接する送風羽根が干渉してしまうことがある。
【００１３】
本発明の第２特徴によると、送風羽根の基部側部分における回転方向上手側の縁部を、回転体から離れるほど支持軸芯側から回転方向上手側に位置するように構成するのに加えて、送風羽根の基部側部分における回転方向下手側の縁部を、回転体から離れるほど支持軸芯側から回転方向下手側に位置するように構成している。これにより、隣接する送風羽根が干渉してしまう状態を充分に避けることができるようになる。
【００１４】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、隣接する送風羽根が干渉してしまう状態を充分に避けることができるようになって、送風方向を正方向及び逆方向に変更自在な機能がさらに充分に確保されるようになった。
【発明を実施するための最良の形態】
【００１５】
［１］
図１及び図２に示すように、クローラ型式の走行装置１で支持された機体の前部に、刈取部２が昇降自在に備えられ、機体に運転部３が備えられており、機体の後部左側に脱穀装置４が備えられ、機体の後部右側にグレンタンク５が備えられて、自脱型式のコンバインが構成されている。
【００１６】
図１及び図２に示すように、運転部３の後部下部にエンジン６が備えられ、エンジン６を覆うボンネット７が備えられており、ボンネット７の上部に運転座席８が支持されている。ボンネット７の右横壁部の略全面に防塵網９が張られ、ボンネット７の右横壁部とエンジン６との間にラジエータ１０及び冷却ファン１１（送風機構に相当）が備えられており、冷却ファン１１によって空気が防塵網９及びボンネット７の内部を通って、ラジエータ１０に供給される。
【００１７】
［２］
次に、冷却ファン１１の回転体２１の付近について説明する。
図２，３，４に示すように、ボンネット７の内部においてエンジン６が左右向きに配置されており、エンジン６のラジエータ１０側の部分の上部に、ラジエータ１０用のウォーターポンプ１２及びオルタネータ１３が備えられ、エンジン６のラジエータ１０側の部分の下部に出力軸６ａが備えられて、出力軸６ａに出力プーリー６ｂが固定されている。ウォーターポンプ１２の入力軸１２ａにフランジ部１４が固定され、入力プーリー１２ｂがボルト１５によりフランジ部１４に固定されている。
【００１８】
図２，３，４に示すように、オルタネータ１３の入力軸１３ａに入力プーリー１３ｂが固定され、エンジン６の出力プーリー６ｂ、ウォーターポンプ１２の入力プーリー１２ｂ及びオルタネータ１３の入力プーリー１３ｂに亘って伝動ベルト１６が巻回されている。これにより、エンジン６の出力軸６ａの動力によって、ウォーターポンプ１２の入力軸１２ａ及びオルタネータ１３の入力軸１３ａが回転方向Ａ１に回転駆動される。
【００１９】
図４及び図６に示すように、円筒状の回転基部１７がボルト１５により入力プーリー１２ｂと一緒にフランジ部１４に固定され、回転カム体１８がボルト１９により回転基部１７に固定されている。回転カム体１８に複数本のガイドピン２０が固定されており、円盤状の回転体２１の複数のボス部２１ａに、ガイドピン２０がスライド自在に挿入されている。図９（イ）に示すように、後述する回転カム体１８のカム部１８ａ及びガイドピン２０にグリスが塗布されて、回転体２１のボス部２１ａにグリスが漏れ出るのを防止するシール部材２２が取り付けられており、シール部材２２を固定するリング状の固定板２３が備えられ、固定板２３がボルト２４により回転体２１のボス部２１ａに固定されている。これにより、ウォーターポンプ１２の入力軸１２ａと一緒に、回転基部１７、回転カム体１８、回転体２１及び後述する送風羽根３６が回転方向Ａ１（一定の回転方向に相当）に回転駆動される。
【００２０】
図４及び図６に示すように、回転カムタイ１８に固定された支持軸３８に受け部材２５がボルト２６により固定されて、回転体２１と受け部材２５との間にバネ２７が取り付けられて、バネ２７により回転体２１がガイドピン２０に沿って図４の紙面左方にスライドするように付勢されている。図４及び図５に示すように、エンジン６のラジエータ１０側の部分の上部にブラケット３０が固定され、ブラケット３０から延出された２本のアーム３０ａに支持ピン３１が両持ち状に支持されている。二股状の操作フォーク３２のボス部３２ａが支持ピン３１周りに揺動自在に支持され、リング状の操作部材２８がベアリング２９を介して回転体２１に取り付けられており、操作フォーク３２の端部が操作部材２８に接続されている。
【００２１】
図４及び図５に示すように、操作フォーク３２のボス部３２ａの中央部に操作アーム３２ｂが固定されており、ウォーターポンプ１２の入力軸１２ａを中心とする放射線の一つに操作フォーク３２のアーム３２ｂが位置している（図５参照）。図２及び図３に示すように、エンジン６の後側部に減速機構付きの電動モータ３３が固定され、電動モータ３３によって揺動駆動される扇型ギヤ３４が備えられており、操作フォーク３２のアーム３２ｂと扇型ギヤ３４とに亘ってワイヤ３５が接続されている。
【００２２】
これによって電動モータ３３によりワイヤ３５が引き操作されると、操作フォーク３２が支持ピン３１周りに図４の紙面右方に操作され、操作フォーク３２及び操作部材２８を介して、回転体２１が図４の紙面右方にバネ２７の付勢力に抗してスライド操作される。電動モータ３３によりワイヤ３５が戻し操作されると、バネ２７の付勢力により回転体２１が図４の紙面左方にスライド操作される。
【００２３】
［３］
次に、冷却ファン１１の送風羽根３６について説明する。
図４及び図６に示すように、回転体２１の外周部に複数のボス部２１ｂが備えられて、ボス部２１ｂに支持軸３７が支持され、支持軸３７が回転体２１の半径方向に沿った支持軸芯Ｐ１周りに回転自在（角度変更自在）に支持されている。回転体２１の内部において支持軸３７に操作アーム３７ａが固定され、回転カム体１８のカム部１８ａに支持軸３７の操作アーム３７ａが係合しており、支持軸３７に送風羽根３６が固定されている。
【００２４】
図４及び図７に示すように、回転カム体１８のカム部１８ａに支持軸３７の操作アーム３７ａが係合した状態で（係合位置が移動しない状態で）、前項［２］に記載のように、回転体２１（支持軸３７）が図４及び図７の紙面左右方向にスライド操作されると、支持軸３７と回転カム体１８のカム部１８ａとの相対的な位置変化により、支持軸３７が支持軸芯Ｐ１周りに回転して、支持軸芯Ｐ１周りに回転体２１に対する送風羽根３６の角度が変更される。
【００２５】
図６に示すように、送風羽根３６は、ガラス繊維入りのポリプロピレンにより一体的に形成されて、充分な強度を備えるように構成されている。送風羽根３６が７枚である場合に、回転体２１の円周（３６０°）のうち、一つの送付羽根３６が占める範囲Ｂ１は、３６０°を７等分した約５１°の範囲となるのであり、範囲Ｂ１に対して、支持軸芯Ｐ１の位置が範囲Ｂ１の中央から少し回転方向下手側（図６の紙面反時計方向側）に位置している。
【００２６】
図６に示すように、送風羽根３６の基部側部分における回転方向上手側の縁部３６ａが回転体２１から離れるほど支持軸芯Ｐ１側から回転方向上手側（図６の紙面時計方向側）に位置するように、支持軸芯Ｐ１に対して傾斜するように構成されている（送風羽根３６の基部側部分における回転方向上手側の縁部３６ａが切り欠かれた状態）。送風羽根３６の基部側部分における回転方向下手側の縁部３６ｂが、回転体２１から離れるほど支持軸芯Ｐ１側から回転方向下手側（図６の紙面反時計方向側）に位置するように、支持軸芯Ｐ１に対して傾斜するように構成されている（送風羽根３６の基部側部分における回転方向下手側の縁部３６ｂが切り欠かれた状態）。
【００２７】
この場合、支持軸芯Ｐ１の位置が範囲Ｂ１の中央から少し回転方向下手側（図６の紙面反時計方向側）に位置していることにより、送風羽根３６の基部側部分における回転方向下手側の縁部３６ｂよりも、送風羽根３６の基部側部分における回転方向上手側の縁部３６ａが長いものになっている。送風羽根３６の基部側部分における回転方向上手側及び下手側の縁部３６ａ，３６ｂを、範囲Ｂ１の回転方向上手側及び下手側の端部にまで延出することにより、送風羽根３６の長さ（外径）を抑えながら送風羽根３６の面積を大きなものとしている。
【００２８】
図６に示すように、送風羽根３６の端部側部分における回転方向上手側及び下手側の縁部３６ｃ，３６ｄが、回転体２１から離れるほど回転方向下手側（図６の紙面反時計方向側）に位置するように、送風羽根３６の端部側部分に回転方向Ａ１に対する後退角Ｂ１，Ｂ２が持たされている。この場合、後退角Ｂ１，Ｂ２を同じ値に設定したり、後退角Ｂ１よりも後退角Ｂ２が大きくなるように設定したりする。
【００２９】
［４］
次に、送風方向を正方向Ｄ１及び逆方向Ｄ２に変更する状態について説明する。
図４，６，８（イ）に示す状態は電動モータ３３によりワイヤ３５が戻し操作されて、バネ２７の付勢力により回転体２１が図４の紙面左方にスライド操作された状態であり、支持軸芯Ｐ１周りに、回転体２１に対する送風羽根３６の角度が中立位置Ｎ１から正方向の角度Ｃ１に変更された状態である（以上、角度変更手段に相当）。この場合、図９（イ）に示すように、回転体２１のボス部２１ａが回転カム体１８に接当することにより、回転体２１の位置が決められる。
【００３０】
図４，６，８（イ）に示す状態において、回転体２１及び送風羽根３６が回転方向Ａ１に回転駆動されると、送風羽根３６により正方向Ｄ１に風が発生するのであり、風が防塵網９及びボンネット７の内部を通ってラジエータ１０に供給される。
この場合に、図４に示すように、回転体２１のボス部２１ｂの外周部の外径と、ウォーターポンプ１２の入力プーリー１２ｂの外径とが、略同じものになるように設定されている。これにより、送風羽根３６により正方向Ｄ１に発生する風に対して、ウォーターポンプ１２の入力プーリー１２ｂが邪魔にならないようにしながら、回転体２１のボス部２１ｂの半径方向の長さが確保されて、回転体２１のボス部２１ｂの強度及び送風羽根３６の支持強度が高められている。
【００３１】
次に図４，６，８（イ）に示す状態が所定時間に亘って維持されると（例えば３分程度）、図７及び図８（ロ）に示すように、自動的に電動モータ３３によりワイヤ３５が引き操作されて、操作フォーク３２が支持ピン３１周りに図７の紙面右方に操作され、操作フォーク３２及び操作部材２８を介して、回転体２１が図７の紙面右方にバネ２７の付勢力に抗してスライド操作される。これにより、支持軸芯Ｐ１周りに、回転体２１に対する送風羽根３６の角度が中立位置Ｎ１から逆方向の角度Ｃ２に変更される（以上、角度変更手段に相当）。この場合、図９（ロ）に示すように、回転体２１のボス部２１ａが回転カム体１８から大きく離れるのであり、図８（イ）（ロ）に示すように、正方向の角度Ｃ１の絶対値と逆方向の角度Ｃ２の絶対値とは略同じものである。
【００３２】
図７及び図８（ロ）に示す状態において、回転体２１及び送風羽根３６が回転方向Ａ１に回転駆動されると、送風羽根３６により逆方向Ｄ２に風が発生するのであり、風がラジエータ１０に逆方向から供給されて、ラジエータ１０に付着したゴミ等が図８（ロ）の紙面右方に吹き飛ばされる。この後、短い所定時間（例えば１０秒程度）が経過すると、図７及び図８（ロ）に示す状態から、図４，６，８（イ）に示す状態に自動的に復帰する。この場合、図７及び図８（ロ）に示す状態において、回転体２１が図８（ロ）の紙面右方にバネ２７の付勢力に抗してスライド操作さると、回転体２１及び回転羽根３６がラジエータ１０に接近することになるので、ラジエータ１０に付着したゴミ等がさらに良く図８（ロ）の紙面右方に吹き飛ばされる。
【００３３】
図４及び図７に示すように、回転体２１において、支持軸３８が通過するボス部２１ｃが、図４及び図７の紙面左右方向に長いものに設定され（回転体２１のボス部２１ａがボス部２１ｃの端部に対して図４及び図７の紙面右方に離れるように設定され）、ベアリング２９が取り付けられるフランジ部２１ｄが、少し厚みのあるものに設定されていることによって、回転体２１の内部の図４及び図７の紙面左右方向の幅が大きなものに設定されている。
【００３４】
これにより、回転体２１の移動ストローク（回転体２１のボス部２１ａが回転カム体１８に接当する位置（図９（イ）参照）と、回転体２１のボス部２１ａが回転カム体１８から離れる位置（図９（ロ）参照）とに亘る範囲）が大きなものとなって、図８（イ）（ロ）に示す中立位置Ｎ１から正及び逆方向の角度Ｃ１，Ｃ２を大きなものとなっている。これに伴ってワイヤ３５の引き及び戻し操作のストロークも長くなって、ワイヤ３５の微調整が行い易くなる。
【００３５】
［発明の実施の第１別形態］
前述の［発明を実施するための最良の形態］の図９（イ）（ロ）において、短いボルト２４に代えて図１０（イ）（ロ）に示すように、長いボルト２４を使用してもよい（ボルト２４の先端が回転体２１の内方に少し突出する程度）。
このように構成すると、バネ２７の付勢力により回転体２１が図１０（イ）の紙面左方にスライド操作された場合、ボルト２４が回転カム体１８に接当することになり、回転体２１の移動ストロークが少し抑えられて、図８（イ）に示す中立位置Ｎ１から正方向の角度Ｃ１を少し小さなものすることができ、送風羽根３６により正方向Ｄ１に発生する風の風量を少し抑えることができる。
【００３６】
［発明の実施の第２別形態］
前述の［発明を実施するための最良の形態］［発明の実施の第１別形態］のように、回転体２１をスライド操作して、支持軸芯Ｐ１周りに回転体２１に対する送風羽根３６の角度が変更されるように構成するのではく、ウォーターポンプ１２の入力軸１２ａに回転体２１を固定し、ウォーターポンプ１２の入力軸１２ａに対して回転カム体１８を図４の紙面左右方向にスライド操作することによって、支持軸芯Ｐ１周りに回転体２１に対する送風羽根３６の角度を変更するように構成してもよい。
本発明は、コンバインばかりではなく、農用トラクタや乗用型芝刈機、建設機械や乗用型田植機等にも適用できる。
【図面の簡単な説明】
【００３７】
【図１】コンバインの全体側面図
【図２】エンジン、ラジエータ及び冷却ファンの付近の縦断背面図
【図３】エンジン及び冷却ファンの付近の側面図
【図４】回転体に対する送風羽根の角度が中立位置から正方向の角度に変更された状態において、回転体の付近の縦断背面図
【図５】回転体に対する送風羽根の角度が中立位置から正方向の角度に変更された状態において、回転体の付近の縦断側面図
【図６】回転体に対する送風羽根の角度が中立位置から正方向の角度に変更された状態において、回転体の付近の側面図
【図７】回転体に対する送風羽根の角度が中立位置から逆方向の角度に変更された状態において、回転体の付近の縦断背面図
【図８】回転体に対する送風羽根の角度が中立位置から正方向の角度に変更された状態（イ）、及び回転体に対する送風羽根の角度が中立位置から逆方向の角度に変更された状態（ロ）を示す回転体及びラジエータの付近の背面図
【図９】回転体に対する送風羽根の角度が中立位置から正方向の角度に変更された状態（イ）、及び回転体に対する送風羽根の角度が中立位置から逆方向の角度に変更された状態（ロ）を示す回転体のボス部及びガイドピンの付近の縦断背面図
【図１０】発明の実施の第１別形態において、回転体に対する送風羽根の角度が中立位置から正方向の角度に変更された状態（イ）、及び回転体に対する送風羽根の角度が中立位置から逆方向の角度に変更された状態（ロ）を示す回転体のボス部及びガイドピンの付近の縦断背面図
【符号の説明】
【００３８】
２１        回転体
３６        送風羽根
３６ａ      送風羽根の基部側部分における回転方向上手側の縁部
３６ｂ      送風羽根の基部側部分における回転方向下手側の縁部
３６ｃ      送風羽根の端部側部分における回転方向上手側の縁部
３６ｄ      送風羽根の端部側部分における回転方向下手側の縁部
Ａ１        回転方向
Ｂ１，Ｂ２  後退角
Ｎ１        中立位置
Ｐ１        支持軸芯
【図１】
2008045442.tif 000003
【図２】
2008045442.tif 000004
【図３】
2008045442.tif 000005
【図４】
2008045442.tif 000006
【図５】
2008045442.tif 000007
【図６】
2008045442.tif 000008
【図７】
2008045442.tif 000009
【図８】
2008045442.tif 000010
【図９】
2008045442.tif 000011
【図１０】
2008045442.tif 000012